(57)【要約】【課題】本発明は、充填性、吐出安定性、接液性及び消泡性に優れるインクジェットインク、該インクジェットインクが収容されているインクカートリッジ及び該インクジェットインクを用いるインクジェット記録装置を提供することを目的とする。【解決手段】インクジェットインクは、化学式  ＣＦ３ＣＦ２（ＣＦ２ＣＦ２）２ＣＨ２ＣＨ２Ｏ（ＣＨ２ＣＨ２Ｏ）ｎＨ・・・（１）（式中、ｎは１以上４０以下の整数である）で表される化合物、水溶性染料及び水を含む。【選択図】なし【特許請求の範囲】
【請求項１】
化学式
ＣＦ３ＣＦ２（ＣＦ２ＣＦ２）２ＣＨ２ＣＨ２Ｏ（ＣＨ２ＣＨ２Ｏ）ｎＨ・・・（１）
（式中、ｎは１以上４０以下の整数である）
で表される化合物、水溶性染料及び水を含むことを特徴とするインクジェットインク。
【請求項２】
前記化学式（１）で表される化合物の含有量が０．０５質量％以上０．５質量％以下であることを特徴とするインクジェットインク。
【請求項３】
請求項１又は２に記載のインクジェットインクが収容されていることを特徴とするインクカートリッジ。
【請求項４】
請求項１又は２に記載のインクジェットインクを吐出する吐出手段を有することを特徴とするインクジェット記録装置。
【発明の詳細な説明】
【技術分野】
【０００１】
本発明は、インクジェットインク、インクカートリッジ及びインクジェット記録装置に関する。
【背景技術】
【０００２】
従来、吐出安定性及び充填性を向上させるために、染料インクに界面活性剤が添加されている。
【０００３】
特許文献１には、水、湿潤剤、界面活性剤及び着色剤を含む記録用インクが開示されている。このとき、湿潤剤は、３−メチル−１，３−ブタンジオールを含む。また、界面活性剤として、一般式
ＣＦ３ＣＦ２（ＣＦ２ＣＦ２）ｍＣＨ２ＣＨ２Ｏ（ＣＨ２ＣＨ２Ｏ）ｎＨ
（式中、ｍは０〜１０の整数であり、ｎは１〜４０の整数である。）
で表される化合物を用いる構成が開示されている。
【０００４】
しかしながら、着色剤として水溶性染料を用いる場合の接液性及び消泡性をさらに向上させることが望まれている。
【発明の概要】
【発明が解決しようとする課題】
【０００５】
本発明は、上記従来技術が有する問題に鑑み、充填性、吐出安定性、接液性及び消泡性に優れるインクジェットインク、該インクジェットインクが収容されているインクカートリッジ及び該インクジェットインクを用いるインクジェット記録装置を提供することを目的とする。
【課題を解決するための手段】
【０００６】
本発明のインクジェットインクは、化学式
ＣＦ３ＣＦ２（ＣＦ２ＣＦ２）２ＣＨ２ＣＨ２Ｏ（ＣＨ２ＣＨ２Ｏ）ｎＨ・・・（１）
（式中、ｎは１以上４０以下の整数である）
で表される化合物、水溶性染料及び水を含む。
【０００７】
本発明のインクカートリッジは、本発明のインクジェットインクが収容されている。
【０００８】
本発明のインクジェット記録装置は、本発明のインクジェットインクを吐出する吐出手段を有する。
【発明の効果】
【０００９】
本発明によれば、充填性、吐出安定性、接液性及び消泡性に優れるインクジェットインク、該インクジェットインクが収容されているインクカートリッジ及び該インクジェットインクを用いるインクジェット記録装置を提供することができる。
【図面の簡単な説明】
【００１０】
【図１】本発明のインクジェット記録装置の一例を示す斜視図である。
【図２】図１のインクジェット記録装置の全体構成を示す概略図である。
【図３】図１のインクジェット記録装置の部分拡大図である。
【図４】図１のインクカートリッジを示す概略図である。
【発明を実施するための形態】
【００１１】
次に、本発明を実施するための形態を図面と共に説明する。
【００１２】
本発明のインクジェットインクは、化学式（１）で表される化合物、水溶性染料及び水を含む。
【００１３】
本発明のインクジェットインク中の化学式（１）で表される化合物の含有量は、通常、０．０５〜０．５質量％である。本発明のインクジェットインク中の化学式（１）で表される化合物の含有量が０．０５質量％未満であると、充填性及び吐出安定性が低下することがあり、０．５質量％を超えると、接液性及び消泡性が低下することがある。
【００１４】
水溶性染料としては、酸性染料、食用染料、直接性染料、塩基性染料、反応性染料等を用いることができ、二種以上併用してもよい。
【００１５】
酸性染料としては、特に限定されないが、Ｃ．Ｉ．アシッドイエロー１７、２３、４２、４４、７９、１４２；Ｃ．Ｉ．アシッドレッド１、８、１３、１４、１８、２６、２７、３５、３７、４２、５２、８２、８７、８９、９２、９７、１０６、１１１、１１４、１１５、１３４、１８６、２４９、２５４、２８９；Ｃ．Ｉ．アシッドブルー９、２９、４５、９２、２４９；Ｃ．Ｉ．アシッドブラック１、２、７、２４、２６、９４等が挙げられる。
【００１６】
食用染料としては、特に限定されないが、Ｃ．Ｉ．フードイエロー３、４；Ｃ．Ｉ．フードレッド７、９、１４；Ｃ．Ｉ．フードブラック１、２等が挙げられる。
【００１７】
直接性染料としては、特に限定されないが、Ｃ．Ｉ．ダイレクトイエロー１、１２、２４、２６、３３、４４、５０、８６、１２０、１３２、１４２、１４４；Ｃ．Ｉ．ダイレクトレッド１、４、９、１３、１７、２０、２８、３１、３９、８０、８１、８３、８９、２２５、２２７；Ｃ．Ｉ．ダイレクトオレンジ２６、２９、６２、１０２；Ｃ．Ｉ．ダイレクトブルー１、２、６、１５、２２、２５、７１、７６、７９、８６、８７、９０、９８、１６３、１６５、１９９、２０２；Ｃ．Ｉ．ダイレクトブラック１９、２２、３２、３８、５１、５６、７１、７４、７５、７７、１５４、１６８、１７１等が挙げられる。
【００１８】
塩基性染料としては、特に限定されないが、Ｃ．Ｉ．ベーシックイエロー１、２、１１、１３、１４、１５、１９、２１、２３、２４、２５、２８、２９、３２、３６、４０、４１、４５、４９、５１、５３、６３、６４、６５、６７、７０、７３、７７、８７、９１；
Ｃ．Ｉ．ベーシックレッド２、１２、１３、１４、１５、１８、２２、２３、２４、２７、２９、３５、３６、３８、３９、４６、４９、５１、５２、５４、５９、６８、６９、７０、７３、７８、８２、１０２、１０４、１０９、１１２；Ｃ．Ｉ．ベーシックブルー１、３、５、７、９、２１、２２、２６、３５、４１、４５、４７、５４、６２、６５、６６、６７、６９、７５、７７、７８、８９、９２、９３、１０５、１１７、１２０、１２２、１２４、１２９、１３７、１４１、１４７、１５５；Ｃ．Ｉ．ベーシックブラック２、８等が挙げられる。
【００１９】
反応性染料としては、特に限定されないが、Ｃ．Ｉ．リアクティブブラック３、４、７、１１、１２、１７；Ｃ．Ｉ．リアクティブイエロー１、５、１１、１３、１４、２０、２１、２２、２５、４０、４７、５１、５５、６５、６７；Ｃ．Ｉ．リアクティブレッド１、１４、１７、２５、２６、３２、３７、４４、４６、５５、６０、６６、７４、７９、９６、９７；Ｃ．Ｉ．リアクティブブルー１、２、７、１４、１５、２３、３２、３５、３８、４１、６３、８０、９５等が挙げられる。
【００２０】
本発明のインクジェットインクは、湿潤剤をさらに含んでいてもよい。
【００２１】
湿潤剤としては、特に限定されないが、エチレングリコール、ジエチレングリコール、トリエチレングリコール、ポリエチレングリコール、ポリプロピレングリコール、１，５ペンタンジオール、１，６−へキサンジオール、グリセリン、１，２，６−へキサントリオール、１，２，４−ブタントリオール、１，２，３−ブタントリオール、ペトリオール等の多価アルコール；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、テトラエチレングリコールモノメチルエーテル、プロピレングリコールモノエチルエーテル等の多価アルコールアルキルエーテル；エチレングリコールモノフェニルエーテル、エチレングリコールモノベンジルエーテル等の多価アルコールアリールエーテル；Ｎ−メチル−２−ピロリドン、Ｎ−ヒドロキシエチル−２−ピロリドン、２−ピロリドン、１，３−ジメチルイミダゾリジノン、ε−カプローラクタム等の含窒素複素環化合物；ホルムアミド、Ｎ−メチルホルムアミド、Ｎ，Ｎ−ジメチルホルムアミド等のアミド；モノエタノールアミン、ジエタノールアミン、トリエタノールアミン、モノエチルアミン、ジエチルアミン、トリエチルアミン等のアミン；ジメチルスルホキシド、スルホラン、チオジエタノール等の含硫黄化合物；プロピレンカーボネート、炭酸エチレン、γ−ブチロラクトン等が挙げられる。
【００２２】
本発明のインクジェットインクは、防腐防黴剤、防錆剤、ｐＨ調整剤等をさらに含んでいてもよい。
【００２３】
防腐防黴剤としては、特に限定されないが、１、２−ベンズイソチアゾリン−３−オン、安息香酸ナトリウム、デヒドロ酢酸ナトリウム、ソルビン酸ナトリウム、ペンタクロロフェノールナトリウム、２−ピリジンチオール−１−オキサイドナトリウム等が挙げられる。
【００２４】
防錆剤としては、特に限定されないが、酸性亜硫酸塩、チオ硫酸ナトリウム、チオジグリコール酸アンモン、ジイソプロピルアンモニウムナイトライト、四硝酸ペンタエリスリトール、ジシクロヘキシルアンモニウムナイトライト等が挙げられる。
【００２５】
ｐＨ調整剤としては、特に限定されないが、水酸化リチウム、水酸化ナトリウム、水酸化カリウム等のアルカリ金属の水酸化物；炭酸リチウム、炭酸ナトリウム、炭酸カリウム等のアルカリ金属の炭酸塩；ジエタノールアミン、トリエタノールアミン等のアミン；４級アンモニウムの水酸化物、水酸化アンモニウム、４級ホスホニウムの水酸化物等が挙げられる。
【００２６】
本発明のインクジェットインクは、化学式（１）で表される化合物及び水溶性染料を含む組成物を水中に溶解させ、必要に応じて、攪拌羽を用いた攪拌機、マグネチックスターラー、高速の分散機等を用いて混合することにより製造することができる。
【００２７】
本発明のインクジェットインクは、インクジェットプリンター、ファクシミリ装置、複写装置、プリンタ／ファックス／コピア複合機等のインクジェット記録装置に適用することができる。
【００２８】
図１に、本発明のインクジェット記録装置の一例を示す。
【００２９】
インクジェット記録装置１００は、用紙を装填するための給紙トレイ１０１と、画像が形成された用紙をストックするための排紙トレイ１０２と、インクカートリッジ装填部１０３とを有する。インクカートリッジ装填部１０３の上面には、操作キー、表示器等が設置されている操作部１０４が配置されている。インクカートリッジ装填部１０３には、インクカートリッジ２００を着脱するための開閉可能なカバー１０３ａが設置されている。
【００３０】
インクジェット記録装置１００内には、図２及び図３に示すように、左右の側板（不図示）に横架したガイドロッド１０５とステー１０６により、キャリッジ１０７が主走査方向Ａに摺動自在に保持されており、主走査モータ（不図示）により、主走査方向Ａに移動走査される。
【００３１】
キャリッジ１０７には、イエロー（Ｙ）、シアン（Ｃ）、マゼンタ（Ｍ）及びブラック（Ｂｋ）の各色のインク滴を吐出する４個のインクジェットヘッド１０８が、複数のインク吐出口が主走査方向Ａと交叉する方向に配列されており、インク滴が吐出される方向が下方になるように装着されている。
【００３２】
インクジェットヘッド１０８としては、特に限定されないが、圧電素子等の圧電アクチュエータ、発熱抵抗体等の電気熱変換素子を用いて液体の膜沸騰による相変化を利用するサーマルアクチュエータ、温度変化による金属相変化を用いる形状記憶合金アクチュエータ、静電力を用いる静電アクチュエータ等を有するものを用いることができる。
【００３３】
また、キャリッジ１０７には、インクジェットヘッド１０８に各色のインクを供給するための各色のサブタンク１０９が搭載されている。サブタンク１０９には、インク供給チューブ（不図示）を介して、インクカートリッジ装填部１０３に装填されたインクカートリッジ２００から、インクジェットインクが供給されて補充される。
【００３４】
一方、給紙トレイ１０２の用紙積載部（圧板）１０２ａ上に積載されている用紙Ｐを給紙するための給紙部として、用紙積載部１０２ａから用紙Ｐを１枚ずつ分離給送する給紙コロ１１０及び給紙コロ１１０に対向して配置されており、摩擦係数の大きい材質から構成される分離パッド１１１が設置されている。このとき、分離パッド１１１は、給紙コロ１１０側に付勢されている。
【００３５】
給紙部からガイド１１２を介して給紙された用紙Ｐをインクジェットヘッド１０８の下方側で搬送するための搬送部として、用紙Ｐを静電吸着して搬送するための搬送ベルト１１３と、用紙Ｐを搬送ベルト１１３との間で挟んで搬送するためのカウンタローラ１１４と、略鉛直上方に搬送される用紙Ｐを略９０°方向転換させて搬送ベルト１１３上に倣わせるための搬送ガイド１１５と、押さえ部材１１６により搬送ベルト１１３側に付勢されている先端加圧コロ１１７が設置されている。また、搬送ベルト１１３の表面を帯電させるための帯電ローラ１１８が設置されている。
【００３６】
搬送ベルト１１３は、無端状ベルトであり、搬送ローラ１１９とテンションローラ１２０との間に張架されており、用紙Ｐを搬送する方向Ｂに周回可能である。また、搬送ベルト１１３の裏側には、インクジェットヘッド１０８による画像形成領域に対応してガイド部材１２１が配置されている。
【００３７】
搬送ベルト１１３としては、特に限定されないが、厚さが４０μｍ程度のテトラフルオロエチレンとエチレンの共重合体（ＥＴＦＥ）等の樹脂から構成される、用紙Ｐを静電吸着する表層と、カーボンにより抵抗が制御されている以外は、表層と同一の材質から構成される裏層（中抵抗層、アース層）を有するものを用いることができる。
【００３８】
なお、インクジェットヘッド１０８により画像が形成された用紙Ｐを排紙するための排紙部として、搬送ベルト１１３から用紙Ｐを分離するための分離爪１２２と、排紙ローラ１２３及び排紙コロ１２４が設置されており、排紙ローラ１２３の下方に排紙トレイ１０３が配置されている。
【００３９】
インクジェット記録装置１００の背面部には、両面給紙ユニット１２５が着脱自在に装着されている。両面給紙ユニット１２５は、搬送ベルト１１３が用紙Ｐを搬送する方向Ｂに対して逆方向に回転することにより戻される用紙Ｐを取り込んで反転させた後、カウンタローラ１１４と搬送ベルト１１３との間に給紙する。なお、両面給紙ユニット１２５の上面には、手差し給紙部１２６が設置されている。
【００４０】
インクジェット記録装置１００においては、給紙部から用紙Ｐが１枚ずつ分離給紙され、略鉛直上方に給紙された用紙Ｐは、ガイド１１２で案内され、搬送ベルト１１３とカウンタローラ１１４との間に挟まれて搬送される。さらに、先端を搬送ガイド１１５で案内されて先端加圧コロ１１７で搬送ベルト１１３に押し付けられ、略９０°搬送方向を転換される。
【００４１】
このとき、帯電ローラ１１８により搬送ベルト１１３が帯電されているため、用紙Ｐは、搬送ベルト１１３に静電吸着されて搬送される。そこで、キャリッジ１０７を移動させながら画像信号に応じて、インクジェットヘッド１０８を駆動することにより、停止している用紙Ｐにインク滴を吐出して１行分の画像を形成し、用紙Ｐを所定量搬送した後、次の１行分の画像を形成する。画像の形成が終了した信号又は用紙Ｐの後端が画像形成領域に到達した信号を受けることにより、画像形成動作を終了して、用紙Ｐを排紙トレイ１０３に排紙する。
【００４２】
そして、サブタンク１０９内のインクの残量のニアーエンドが検知されると、インクカートリッジ（不図示）から所要量のインクジェットインクがサブタンク１０９に補給される。
【００４３】
以上、本発明のインクジェットインクを、キャリッジが走査するシリアル型（シャトル型）インクジェット記録装置に適用した例について説明したが、ライン型ヘッドを有するライン型インクジェット記録装置にも同様に適用することができる。
【００４４】
図４に、インクカートリッジ２００を示す。
【００４５】
インクカートリッジ２００は、インクジェットインクが充填されているインク袋２０１がプラスチック製の筐体２０２内に収容され、インクジェット記録装置１００に着脱可能に装着して用いられる。
【００４６】
インク袋２０１は、透気性のないアルミニウムラミネートフィルム、樹脂フィルム等の包装部材から構成されており、インク注入口２０１ａからインクジェットインクを充填して、排気した後、インク注入口２０１ａを融着することにより密閉されている。また、インク袋２０１には、ゴム部材から構成されるインク排出口２０１ｂが形成されており、サブタンク１０９にインクジェットインクを供給する際には、インク排出口２０１ｂにインク供給チューブの先端に設置されている針を刺す。
【実施例】
【００４７】
以下、実施例を示して本発明を具体的に説明するが、本発明は、実施例により限定されない。なお、部は、質量部を意味する。
【００４８】
［実施例１］
６部の水溶性染料Ｄｉｒｅｃｔ  Ｂｌａｃｋ  １６８、化学式（１）で表される化合物０．２部、１，３−ブタンジオール１８部、グリセリン６部、２−エチル−１，３−ヘキサンジオール２部、防腐防黴剤プロキセルＬＶ（アビシア社製）０．１部及びイオン交換水６７．７部を混合した後、平均孔径が０．２μｍのポリプロピレンフィルターを用いて濾過し、インクジェットインクを得た。
【００４９】
［実施例２］
２．５部の水溶性染料Ｄｉｒｅｃｔ  Ｂｌｕｅ  １９９、化学式（１）で表される化合物０．１部、１，３−ブタンジオール１８部、グリセリン６部、２−エチル−１，３−ヘキサンジオール２部、防腐防黴剤プロキセルＬＶ（アビシア社製）０．１部及びイオン交換水７１．３部を混合した後、平均孔径が０．２μｍのポリプロピレンフィルターを用いて濾過し、インクジェットインクを得た。
【００５０】
［実施例３］
２部の水溶性染料Ａｃｉｄ  Ｒｅｄ  ２５４、化学式（１）で表される化合物０．１部、１，３−ブタンジオール１８部、グリセリン６部、２−エチル−１，３−ヘキサンジオール２部、防腐防黴剤プロキセルＬＶ（アビシア社製）０．１部、イオン交換水７１．８部を混合した後、平均孔径が０．２μｍのポリプロピレンフィルターを用いて濾過し、インクジェットインクを得た。
【００５１】
［実施例４］
２部の水溶性染料Ｄｉｒｅｃｔ  Ｙｅｌｌｏｗ  １３２、化学式（１）で表される化合物０．１部、１，３−ブタンジオール１８部、グリセリン６部、２−エチル−１，３−ヘキサンジオール２部、防腐防黴剤プロキセルＬＶ（アビシア社製）０．１部及びイオン交換水７１．８部を混合した後、平均孔径が０．２μｍのポリプロピレンフィルターを用いて濾過し、インクジェットインクを得た。
【００５２】
［実施例５］
化学式（１）で表される化合物及びイオン交換水の添加量を、それぞれ０．０５部及び７１．３５部に変更した以外は、実施例２と同様にして、インクジェットインクを得た。
【００５３】
［実施例６］
化学式（１）で表される化合物及びイオン交換水の添加量を、それぞれ０．０２部及び７１．３８部に変更した以外は、実施例２と同様にして、インクジェットインクを得た。
【００５４】
［実施例７］
化学式（１）で表される化合物及びイオン交換水の添加量を、それぞれ０．５部及び７０．９部に変更した以外は、実施例２と同様にして、インクジェットインクを得た。
【００５５】
［実施例８］
化学式（１）で表される化合物及びイオン交換水の添加量を、それぞれ１部及び７０．４部に変更した以外は、実施例２と同様にして、インクジェットインクを得た。
【００５６】
［比較例１］
６部の水溶性染料  Ｄｉｒｅｃｔ  Ｂｌａｃｋ  １６８、有効成分が４０質量％のフッ素系界面活性剤ゾニールＦＳ−３００（Ｄｕ  Ｐｏｎｔ社製）２．５部、１，３−ブタンジオール１８部、グリセリン６部、２−エチル−１，３−ヘキサンジオール２部、防腐防黴剤プロキセルＬＶ（アビシア社製）０．１部及びイオン交換水６５．４部を混合した後、平均孔径が０．２μｍのポリプロピレンフィルターを用いて濾過し、インクジェットインクを得た。
【００５７】
［比較例２］
２．５部の水溶性染料  Ｄｉｒｅｃｔ  Ｂｌｕｅ  １９９、フッ素系界面活性剤フタージェント１１０（ネオス社製）１部、１，３−ブタンジオール１８部、グリセリン６部、２−エチル−１，３−ヘキサンジオール２部、防腐防黴剤プロキセルＬＶ（アビシア社製）０．１部及びイオン交換水７０．４部を混合した後、平均孔径が０．２μｍのポリプロピレンフィルターを用いて濾過し、インクジェットインクを得た。
【００５８】
［比較例３］
２部の水溶性染料Ａｃｉｄ  Ｒｅｄ  ２５４、ポリオキシアルキレンモノアルキルエーテル系界面活性剤ソフタノールＥＰ−９０５０（日本触媒社製）１部、１，３−ブタンジオール１８部、グリセリン６部、２−エチル−１，３−ヘキサンジオール２部、防腐防黴剤プロキセルＬＶ（アビシア社製）０．１部及びイオン交換水７０．９部を混合した後、平均孔径が０．２μｍのポリプロピレンフィルターを用いて濾過し、インクジェットインクを得た。
【００５９】
［比較例４］
２部の水溶性染料  Ｄｉｒｅｃｔ  Ｙｅｌｌｏｗ  １３２、アセチレングリコール系界面活性剤サーフィノール４６５（エアープロダクツ社製）０．７部、１，３−ブタンジオール１８部、グリセリン６部、２−エチル−１，３−ヘキサンジオール２部、防腐防黴剤プロキセルＬＶ（アビシア社製）０．１部及びイオン交換水７１．２部を混合した後、平均孔径が０．２μｍのポリプロピレンフィルターを用いて濾過し、インクジェットインクを得た。
【００６０】
［比較例５］
２．５部の水溶性染料Ｄｉｒｅｃｔ  Ｂｌｕｅ  １９９、１，３−ブタンジオール１８部、グリセリン６部、２−エチル−１，３−ヘキサンジオール２部、防腐防黴剤プロキセルＬＶ（アビシア社製）０．１部及びイオン交換水７１．４部を混合した後、平均孔径が０．２μｍのポリプロピレンフィルターを用いて濾過し、インクジェットインクを得た。
【００６１】
表１に、実施例及び比較例のインクジェットインクの特性を示す。
【００６２】
【表１】
2013181158.tif 000002
次に、インクジェットプリンターＩＰＳｉＯ  ＧＸ３０００（リコー社製）を用いて、実施例及び比較例のインクジェットインクの充填性、吐出安定性、接液性及び消泡性を評価した。
【００６３】
［充填性］
インクジェットヘッドのインク流路にインクジェットインクが充填されていない状態から、ポンプを用いて加圧することによりインクジェットインクを供給口からインクジェットヘッドのインク流路に供給した。このとき、インクジェットヘッドのインク流路の容量よりも多い２ｍｌのインクジェットインクを供給した後、印字して、充填性を評価した。なお、全ノズル中、不吐出のノズルが無い場合をＡ、全ノズル中、１％未満の不吐出のノズルがある場合をＢ、全ノズル中、１％以上５％未満の不吐出のノズルがある場合をＣ、全ノズル中、５％以上の不吐出のノズルがある場合をＤとして、判定した。
【００６４】
［吐出安定性］
充填性を評価した後、不吐出のノズルがあった場合には、維持メンテナンス装置を用いて、ノズルの前面から吸引することにより全ノズルを吐出状態とした。次に、マイペーパー（ＮＢＳリコー社製）に、画像領域中の印写面積が５％であるチャートを、１００％ｄｕｔｙで２０枚連続印写した後、２０分間休止状態にする操作を５０回繰り返した。なお、印字条件は、記録密度を３６０ｄｐｉとして、ワンパス印字とした。さらに、マイペーパー（ＮＢＳリコー社製）に、画像領域中の印写面積が５％であるチャートを、１００％ｄｕｔｙで１枚印写し、吐出安定性を評価した。なお、ベタ部に、白抜け、スジ、噴射乱れが認められない場合をＡ、ベタ部に、白抜けはないが、スジ、噴射乱れが若干認められる場合をＢ、ベタ部の一部に、白抜け、スジ、噴射乱れが認められる場合をＣ、ベタ部の全域に、白抜け、スジ、噴射乱れが認められる場合をＤとして、判定した。
【００６５】
［接液性］
全ノズルにインクジェットインクが充填されている状態で、異常画像が出力されないことを確認した後、インクジェットヘッドを保湿キャップで保湿した状態で、インクジェットプリンターを５０℃、６０％ＲＨの環境下、１ヶ月間放置した。次に、印字して、白抜け、噴射乱れが認められない初期と同等の状態に復帰するまでクリーニングし、接液性を評価した。なお、クリーニングしないでも初期と同等の状態である場合をＡ、１〜２回クリーニングして初期と同等の状態に復帰する場合をＢ、３回以上クリーニングして初期と同等の状態に復帰する場合をＣ、３回以上クリーニングしても初期と同等の状態に復帰しない場合をＤとして、判定した。
【００６６】
［消泡性］
２５℃の環境下、１００ｍＬのメスシリンダーにインクジェットインク１０ｍＬを入れた後、一定の圧力で空気を注入してインクジェットインクと気泡の総体積を１００ｍｌとし、気泡が全て消えるまでの消泡時間を測定し、消泡性を評価した。なお、消泡時間が６０秒間以上１５０秒間未満である場合をＡ、１５０秒間以上３００秒間未満である場合をＢ、３００秒間以上６００秒間未満である場合をＣ、６００秒間以上である場合をＤとして、判定した。
【００６７】
表２に、実施例及び比較例のインクジェットインクの充填性、吐出安定性、接液性及び消泡性の評価結果を示す。
【００６８】
【表２】
2013181158.tif 000003
表２から、実施例１〜８のインクジェットインクは、充填性、吐出安定性、接液性及び消泡性に優れることがわかる。
【００６９】
比較例１、２のインクジェットインクは、フッ素系界面活性剤を含むため、接液性及び消泡性が低下する。
【００７０】
比較例３のインクジェットインクは、ポリオキシアルキレンモノアルキルエーテル系界面活性剤を含むため、充填性が低下する。
【００７１】
比較例４のインクジェットインクは、アセチレングリコール系界面活性剤を含むため、接液性及び消泡性が低下する。
【００７２】
比較例５のインクジェットインクは、界面活性剤を含まないため、充填性及び吐出安定性が低下する。
【符号の説明】
【００７３】
１００    インクジェット記録装置
１０８    インクジェットヘッド
２００    インクカートリッジ
【先行技術文献】
【特許文献】
【００７４】
【特許文献１】特開２０００−２９２９６０号公報
【図１】
2013181158.tif 000004
【図２】
2013181158.tif 000005
【図３】
2013181158.tif 000006
【図４】
2013181158.tif 000007